(57)【要約】【課題】タブレット型携帯端末を収容可能であるとともに、作業効率を低下させることなく作業内容の確認等を可能にする。【解決手段】ツールバッグ１は、内部に上記工具を収容可能な収容空間１１が形成され、一面が開放された箱状をなすバッグ本体１０と、収容空間１１を開閉可能に覆う蓋体２０とを備える。蓋体２０における収容空間１１側の面には、透明シート３１からなりかつタブレット型携帯端末１００を収容するタブレット端末収容部３０が設けられており、タブレット端末収容部３０を構成する透明シート３１は、該タブレット端末収容部３０にタブレット型携帯端末１００が収容された状態において、該タブレット型携帯端末１００を操作可能な材質及び厚みで構成されている。【選択図】図５
2019058964.tif 000002
【特許請求の範囲】
【請求項１】
工具を収容するためのツールバッグであって、
内部に上記工具を収容可能な収容空間が形成され、一面が開放された箱状をなすバッグ本体と、
上記収容空間を開閉可能に覆う蓋体であって、開き状態においても上記バッグ本体の一部と連結されて、該バッグ本体との連結部分を支点に開閉可能である蓋体とを備え、
上記蓋体における上記収容空間側の面には、表面に透明なシート部材を備えかつタブレット型携帯端末を収容するタブレット端末収容部が設けられており、
上記透明なシート部材は、該タブレット端末収容部にタブレット型携帯端末が収容された状態において、該タブレット型携帯端末を操作可能な材質及び厚みで構成されていることを特徴とするツールバッグ。
【請求項２】
請求項１に記載のツールバッグにおいて、
上記蓋体が上記収容空間を覆った状態において、該蓋体と対向する壁部を上記バッグ本体の主壁部として、上記蓋体と上記バッグ本体の該主壁部との間で回動可能に設けられたパネル体を更に備え、
上記パネル体の枚数は、１枚又は複数枚であり、
上記パネル体が１枚である場合の当該パネル体、又は上記パネル体が複数枚である場合の少なくとも１枚のパネル体には、当該パネル体の両面のうち少なくとも一方の面に、上記工具を収容可能なポケットが設けられていることを特徴とするツールバッグ。
【請求項３】
請求項２に記載のツールバッグであって、
上記パネル体には貫通孔が設けられ、
上記バッグ本体の上記収容空間側の部分には、上記パネル体の上記貫通孔に挿通するリングが設けられており、
上記リングが上記貫通孔に挿通することで、上記パネル体が上記蓋体と上記主壁部との間で回動可能となるよう構成されていることを特徴とするツールバッグ。
【請求項４】
請求項３に記載のツールバッグにおいて、
上記リングは、一対の分割リングからなるとともに、対をなす分割リングの先端部が互いに近接してリング形状を形成する閉鎖位置と、対をなす該分割リングのそれぞれの先端部が互いに離隔する開放位置との間で変位可能であり、
上記リングを上記開放位置に位置させたときに、上記パネル体が上記リングに対して着脱可能になることを特徴とするツールバッグ。
【請求項５】
請求項２〜４のいずれか１つに記載のツールバッグにおいて、
上記パネル体が１枚である場合の当該パネル体、又は上記パネル体が複数枚である場合の少なくとも１枚のパネル体には、当該パネル体の両面のうち少なくとも一方の面に、上記ポケットとは別に又は上記ポケットと協働して、上記工具を保持する工具保持部が設けられていることを特徴とするツールバッグ。
【請求項６】
請求項５に記載のツールバッグにおいて、上記工具保持部は面ファスナーで構成されていることを特徴とするツールバッグ。
【請求項７】
請求項１〜６のいずれか１つに記載のツールバッグにおいて、
上記透明なシート部材は、塩化ビニルで構成されていることを特徴とするツールバッグ。
【発明の詳細な説明】
【技術分野】
【０００１】
本発明は、工具を収容するためのツールバッグに関する技術分野に属する。
【背景技術】
【０００２】
従来より、工具をまとめて持ち運びするために、該工具を収容するためのツールバッグが用いられている。
【０００３】
例えば、特許文献１には、第１のケース（バッグ本体に相当）と、該第１のケースの上方に回動可能に設けられた第２のケースと、該第２のケースの上方に回動可能に設けられた蓋体とを備えた工具収容ケース（ツールバッグ）が開示されている。
【先行技術文献】
【特許文献】
【０００４】
【特許文献１】特開２０１７−７０４７号公報
【発明の概要】
【発明が解決しようとする課題】
【０００５】
ところで、ツールバッグから工具を取り出して使用する際には、作業者が、作業手順や工具の使用方法などの作業内容を頻繁に確認しなければならないことがある。従来は、上記作業内容を紙に印刷したものを用いて確認を行っていたが、近年では、コスト削減や環境への配慮からペーパーレス化の要求があるといった観点や、作業内容を動画で示した方が、作業者が理解しやすいといった観点から上記作業内容をタブレット型携帯端末に情報として格納させておき、該タブレット型携帯端末を操作して上記作業内容の確認を行うようになっている。このため、ツールバッグにおいて、タブレット型携帯端末を収容できるようにしたいという要求がある。
【０００６】
しかしながら、仮に特許文献１のようなツールバッグに、単純にタブレット型携帯端末の収容部と設けたとしても、作業者は、一度ツールバッグからタブレット型携帯端末を取り出して、作業内容の確認を行うための操作をした後、再びツールバッグに当該タブレット型携帯端末を収容するといった面倒な手順を踏まなければならず、作業効率が低下してしまうおそれがある。したがって、特許文献１のようなツールバッグに、単純にタブレット型携帯端末の収容部分を設けるだけでは、実際の作業現場における要求に応えることができない。
【０００７】
本発明は、斯かる点に鑑みてなされたものであり、その目的とするところは、タブレット型携帯端末を収容可能であるとともに、作業効率を低下させることなく作業内容の確認等が可能なツールバッグを提供することにある。
【課題を解決するための手段】
【０００８】
上記課題を解決するために、本発明は、工具を収容するためのツールバッグを対象として、内部に上記工具を収容可能な収容空間が形成され、一面が開放された箱状をなすバッグ本体と、上記収容空間を開閉可能に覆う蓋体であって、開き状態においても上記バッグ本体の一部と連結されて、該バッグ本体との連結部分を支点に開閉可能である蓋体とを備え、上記蓋体における上記収容空間側の面には、表面に透明なシート部材を備えかつタブレット型携帯端末を収容するタブレット端末収容部が設けられており、上記透明なシート部材は、該タブレット端末収容部にタブレット型携帯端末が収容された状態において、該タブレット型携帯端末を操作可能な材質及び厚みで構成されている、というものとした。
【０００９】
この構成によると、蓋体にタブレット端末収容部が設けられているため、ツールバッグにタブレット型携帯端末を収容することができる。また、作業者は、タブレット端末収容部にタブレット型携帯端末が収容された状態で、該タブレット型携帯端末を操作可能であるため、タブレット型携帯端末がタブレット端末収容部に収容されたまま作業内容を逐次確認することができる。つまり、作業者は、作業内容の確認を行う際に、タブレット型携帯端末をタブレット端末収容部から取り出す必要がない。このため、作業効率を低下させることなく作業内容の確認等ができる。さらに、蓋体における収容空間側の面にタブレット端末収容部が設けられているため、ツールバッグの蓋体を開いた状態で作業内容の確認が可能になり、作業内容を確認しながら、当該作業に必要な工具の交換を容易に行うことができる。
【００１０】
尚、本明細書において、「タブレット型携帯端末」とは、タッチパネル式の携帯端末全般を意味しており、ノートパソコンのようにキーボードを有しているものであっても、画面をタッチして操作可能なものであれば、本明細書におけるタブレット型携帯端末に含まれる。また、スマートフォンのような小型の携帯端末も本明細書におけるタブレット型携帯端末に含まれる。
【００１１】
上記ツールバッグの一実施形態では、上記蓋体が上記収容空間を覆った状態において、該蓋体と対向する壁部を上記バッグ本体の主壁部として、上記蓋体と上記バッグ本体の該主壁部との間で回動可能に設けられたパネル体を更に備え、上記パネル体の枚数は、１枚又は複数枚であり、上記パネル体が１枚である場合の当該パネル体、又は上記パネル体が複数枚である場合の少なくとも１枚のパネル体には、当該パネル体の両面のうち少なくとも一方の面に、上記工具を収容可能なポケットが設けられている。
【００１２】
この構成によると、ポケットに工具を収容すれば、工具が収容された状態のツールボックスを搬送する際に、工具が収容空間内でばらつくことを防止することもできる。これにより、タブレット型携帯端末と工具とが収容された状態でツールボックスを搬送する際に、工具がタブレット型携帯端末と干渉するのを防止することができ、タブレット型携帯端末を適切に保護することができる。また、工具を収容可能なポケットが設けられたパネル体が、蓋体とバッグ本体の主壁部との間で回動可能に設けられているため、収容空間内において工具が配置されない領域、所謂デッドスペースを削減することができ、工具の収容及び整理を適切に行うことができるようになる。
【００１３】
上記一実施形態において、上記パネル体には貫通孔が設けられ、上記バッグ本体の上記収容空間側の部分には、上記パネル体の上記貫通孔に挿通するリングが設けられており、上記リングが上記貫通孔に挿通することで、上記パネル体が上記蓋体と上記主壁部との間で回動可能となるよう構成されている。
【００１４】
この構成によると、パネル体を、リングに沿って回動する範囲内で、タブレット端末収容部に収容されたタブレット型携帯端末から出来る限り離間させることができる。これにより、タブレット型携帯端末と工具とが収容された状態でツールボックスを搬送する際に、工具がタブレット型携帯端末と干渉するのをより効果的に防止することができ、タブレット型携帯端末をより適切に保護することができる。
【００１５】
パネル体がリングに取り付けられた上記一実施形態において、上記リングは、一対の分割リングからなるとともに、対をなす分割リングの先端部が互いに近接してリング形状を形成する閉鎖位置と、対をなす該分割リングのそれぞれの先端部が互いに離隔する開放位置との間で変位可能であり、上記リングを上記開放位置に位置させたときに、上記パネル体が上記リングに対して着脱可能になる、ことが好ましい。
【００１６】
この構成によると、リングを開放位置すれば、パネル体をリングから着脱することができ、パネル体の増加及び減少を容易に行うことができる。これにより、タブレット端末収容部にタブレット型携帯端末が収容されかつパネル体のポケットに工具が収容された状態で、蓋体を閉じ位置に回動させた際に、タブレット型携帯端末と工具とが干渉するおそれがあるときには、パネル体の枚数を減らして、タブレット型携帯端末と工具との干渉を回避するようにすることができる。この結果、タブレット型携帯端末を一層適切に保護することができる。また、タブレット型携帯端末をタブレット端末収容部に収容しない場合には、パネル体を増加させることで、収容できる工具の数を増加させることができる。これにより、工具を整理するという効果をより適切に発揮することができる。
【００１７】
上記パネル体が設けられたツールバッグにおいて、上記パネル体が１枚である場合の当該パネル体、又は上記パネル体が複数枚である場合の少なくとも１枚のパネル体には、当該パネル体の両面のうち少なくとも一方の面に、上記ポケットとは別に又は上記ポケットと協働して、上記工具を保持する工具保持部が設けられている、ことが好ましい。
【００１８】
すなわち、工具保持部が設けられていることにより、例えば、ポケットに収容しきれない工具（比較的長さのあるドライバーなど）をツールバッグに収容するときには、上記工具の一部をポケットに収容させるとともに、上記工具の残部を工具保持部で保持させれば、上記工具が収容空間内で移動するのを抑制することができる。これにより、ポケットに収容しきれない工具も、収容空間内において適切に整理収容することができる。この結果、タブレット型携帯端末と工具とが収容された状態でツールボックスを搬送する際に、工具がタブレット型携帯端末と干渉するのをより一層効果的に防止することができ、タブレット型携帯端末をより一層適切に保護することができる。さらに、工具の交換を頻繁に行う必要があるときに、工具を、ポケットに収容させることなく工具保持部に一時的に保持させることもでき、作業効率の向上を図ることもできる。
【００１９】
上記パネル体に工具保持部が設けられたツールバッグにおいて、上記工具保持部は面ファスナーで構成されている、ことが好ましい。
【００２０】
この構成によると、工具保持部の構成を単純にすることができるとともに、工具保持部で工具保持する保持形態の自由度を向上させることができる。これにより、タブレット型携帯端末と工具とが収容された状態でツールボックスを搬送する際に、工具がタブレット型携帯端末に干渉しにくいように、該工具を保持させることができる。
【００２１】
上記ツールバッグにおいて、上記透明なシート部材は、塩化ビニルで構成されている、ことが好ましい。
【００２２】
すなわち、塩化ビニルは安価であるとともに、柔軟性に優れているため、種々の形状のタブレット型携帯端末をタブレット端末収容部に収容可能になる。
【発明の効果】
【００２３】
以上説明したように、本発明に係るツールバッグによると、蓋体にタブレット端末収容部が設けられているため、ツールバッグにタブレット型携帯端末を収容することができる。また、タブレット端末収容部を構成する透明なシート部材が、該タブレット端末収容部にタブレット型携帯端末が収容された状態において、該タブレット型携帯端末を操作可能な材質及び厚みで構成されているため、作業者は、タブレット端末収容部にタブレット型携帯端末が収容された状態で、該タブレット型携帯端末を操作可能である。これにより、作業内容の確認を行う際に、タブレット型携帯端末をタブレット端末収容部から取り出す必要がないため、作業効率を低下させることなく、作業内容の確認等ができる。
【図面の簡単な説明】
【００２４】
【図１】本発明の実施形態に係るツールバッグを示す正面図であって、蓋体が開き状態のときを示す。
【図２】上記ツールバッグの外観を示す斜視図である。
【図３】パネル体の裏面を示す図である。
【図４】パネル体を綴じるためのリングの構成を示す概略図である。
【図５】上記ツールバッグの使用状態の一例を示す概略図である。
【発明を実施するための形態】
【００２５】
以下、本発明の実施形態を図面に基づいて詳細に説明する。
【００２６】
図１は、本実施形態に係るツールバッグ１を示す。このツールバッグ１は、複数の工具Ｔを収容するためのツールバッグであって、図２及び図５に示すように、作業台Ａや地面に対して立てて使用することが可能なものである。以下の説明では、ツールバッグ１を作業台Ａ等に立てた状態における上側を上側といい、作業台Ａ等の側を下側という。
【００２７】
ツールバッグ１は、内部に工具Ｔを収容可能な収容空間１１が形成され、一面が開放された箱状をなすバッグ本体１０と、該収容空間１１を開閉可能に覆う蓋体２０とを有している。尚、以下の説明では、バッグ本体１０における収容空間１１側を、単に内側という。
【００２８】
バッグ本体１０は、図２に示すように、蓋体２０が収容空間１１を覆った状態において、該蓋体２０と対向する主壁部１２と、該主壁部１２の周縁に沿って設けられかつ該主壁部１２に対して略垂直に延びた側壁部１３とを有している。
【００２９】
主壁部１２は、図２に示すように、角丸の矩形状をなしている。また、主壁部１２は、可撓性の樹脂板を布で覆ったもので構成されている。側壁部１３は、主壁部１２の周縁に沿うような筒状に加工された可撓性の樹脂板を布で覆ったもので構成されている。側壁部１３の筒軸方向の一端部は主壁部１２の内側の面（以下、主壁内側面１２ａという）と結合されている。詳しくは、主壁部１２の主壁内側面１２ａの布部分と側壁部１３の上記筒軸方向の一端部における布部分とが縫い合わされるか、又は接着されることで、主壁部１２と側壁部１３とが一体的に結合されている。
【００３０】
蓋体２０は、図２に示すように、主壁部１２と同様に、角丸の矩形状をなしている。蓋体２０は、可撓性の樹脂板を布で覆ったもので構成されている。
【００３１】
尚、主壁部１２及び蓋体２０の樹脂パネルの硬さは、ツールバッグ１を作業台Ａ等に対して立てたとしても変形しない程度の硬さに設定されており、側壁部１３の上記筒軸方向の長さは、蓋体２０が後述する閉じ状態であるときでも、ツールバッグ１が作業台Ａ等に対して安定して立つ程度の長さに設定されている。
【００３２】
図２に示すように、側壁部１３の外周面部のうち、角部を除く部分を構成する４つの面部のうちの１つの面部には、主壁部１２と蓋体２０とを連結する連結部１４が設けられている。連結部１４は、該連結部１４が設けられた上記面部を覆うような長方形状をなす布で構成されている。連結部１４の長手方向の両側端部は側壁部１２に縫い付けられており、連結部１４の短手方向の一側の端部は主壁部１２の布部分に縫い付けられており、連結部１４の短手方向の他側の端部は蓋体２０の布部分に縫い付けられている。
【００３３】
側壁部１３の上記筒軸方向の他端部における連結部１４以外の部分と、蓋体２０の周縁部における連結部１４との結合部分以外の部分とは、線ファスナー１５によって連結可能になっている。これにより、線ファスナー１５が全閉の状態（例えば、図２の状態）では、側壁部１３の周方向全体と蓋体２０とが連結された状態となる一方、線ファスナー１５が全開の状態（例えば、図１及び図５に示す状態）では、側壁部１３と蓋体２０とが連結部２０でのみ（厳密には、線ファスナー１５のスライダ１５ａの部分でも連結されている）連結された状態となる。
【００３４】
連結部１４が布で構成されていることにより、蓋体２０は、線ファスナー１５が全開の状態では、図１及び図５に示すように、連結部１４における蓋体２０のとの結合部分の近傍部分を支点に開閉可能になる。これにより、蓋体２０は、収容空間１１を覆った閉じ状態と収容空間１１を開放した開き状態との間で開閉することができる。つまり、蓋体２０は、開き状態においてもバッグ本体１０の一部と連結されて、該バッグ本体１０との連結部分（ここでは連結部１４）を支点に開閉可能な蓋体である。
【００３５】
また、図２に示すように、側壁部１３の外側の面には持ち手４０が取り付けられている。具体的には、持ち手４０は、帯状部４１と、該帯状部４１に対して取り外し可能に取り付けられる持ち手本体４２とで構成されている。
【００３６】
帯状部４１の長さ方向の一端は、図２に示すように、連結部１４に結合されている一方、帯状部４１の長さ方向の他端は、図５に示すように、側壁部１３における連結部１４が設けられた面部に隣接する２つの面部のうちの一方の面部、詳しくは上側の面部に結合されている。
【００３７】
帯状部４１には、連結部１４が位置する領域と、側壁部１３の上側の面部が位置する領域との２箇所に、持ち手本体４２を取付可能な本体取付部４３が形成されている。本実施形態では、本体取付部４３は面ファスナーで構成されており、持ち手本体４２にフック部が設けられ、帯状部４１にループ部が設けられている。
【００３８】
上記閉じ状態において、蓋体２０における内側に位置する面（以下、蓋体内側面２０ａという）には、図１及び図５に示すように、表面が透明なシート部材（以下、透明シート３１という）で構成されかつタブレット型携帯端末１００を収容可能なタブレット端末収容部３０が設けられている。タブレット端末収容部３０は、透明シート３１と蓋体２０とが協働して構成されている。具体的には、矩形状の透明シート３１の４辺のうち、短手方向の両側端部と下側端部とが蓋体内側面２０ａに結合される一方、上側の端部が該蓋体内側面２０ａに結合されないことによって、該上側に開放されたポケット状のタブレット端末収容部３０が構成されている。透明シート３１の上側端部には、該透明シート３１が該上側端部から破損するのを防止するための補強部材３２が、該他端部の全体に亘って設けられている。尚、タブレット型携帯端末１００は、タッチパネル式の携帯端末であって、指で文字入力や画面１０１のスクロールを行うものである。また、タブレット型携帯端末１００は、外部サーバと通信する通信端末のみでなく、例えば、自動車の診断を行うための専用端末なども含むものである。
【００３９】
透明シート３１は、タブレット端末収容部３０にタブレット型携帯端末１００が収容された状態において、該タブレット型携帯端末１００の操作、特にタブレット型携帯端末１００の画面１０１の操作（例えば、画面のスクロールなど）が可能な材質及び厚みで構成されている。透明シート３１の材質としては、例えば、塩化ビニルである。また、透明シート３１の厚みは、透明シート３１の耐久性も考慮して、例えば、０．２５ｍｍ〜０．３０ｍｍ程度に設定されている。尚、透明シート３１の材質は、タブレット型携帯端末１００の画面１０１を操作可能な材質であれば、特に塩化ビニルに限定されないが、塩化ビニルが、安価であること及び柔軟性に優れていることを考慮すると、透明シート３１の材質は塩化ビニルであることが好ましい。
【００４０】
また、透明シート３１は、タブレット型携帯端末１００を収容しやすいように、僅かに撓みを有するように蓋体内側面２０ａに結合されている。
【００４１】
バッグ本体１０の収容空間１１内には、工具Ｔを収容及び保持するためのパネル体５０が収容されている。パネル体５０は、図１、図３及び図５に示すように、角丸の矩形状をなしており、短手方向の一端部に複数（本実施形態では３つ）の第１の貫通孔５１が等間隔に設けられている。該第１の貫通孔５１は、後述する複数（第１の貫通孔５１に対応して３つ）のリング６０が挿通する孔であり、パネル体５０は、図１及び図５に示すように、複数のリング６０が第１の貫通孔５１にそれぞれ挿通することで、蓋体２０と主壁部１２との間で回動可能とされている。つまり、リング６０は、パネル体５０を回動可能に支持している。これにより、ツールバッグ１を作業台Ａ等に対して立てた状態では、パネル体５０を本のように回動させることができる。収容空間１１内のパネル体５０の数は、工具Ｔを収容した状態で、蓋体２０を閉じ状態にすることができるのであれば特に限定されない。
【００４２】
パネル体５０の両面には、工具Ｔを収容するためのポケット５２が、それぞれ複数ずつ設けられている。具体的には、蓋体２０の上記閉じ状態において、パネル体５０における該蓋体２０側に位置する面を第１の面５３とし、当該パネル体５０における主壁部側に位置する面を第２の面５４としたときに、第１の面５３には、６つの第１のポケット５２ａがそれぞれ均一な幅で形成される一方、第２の面５４には、４つの第２のポケット５２ｂがそれぞれ異なる幅で形成されている。図１及び図３に示すように、本実施形態では、第２のポケット５２ｂの幅は、第１のポケット５２ａの幅よりも大きくなるように構成されている。尚、ポケット５２の数やサイズは、特に限定されず、任意に設定可能である。例えば、第１のポケット５２ａの幅を、第２のポケット５２ｂの幅よりも大きくしてもよいし、６つの第１のポケット５２ａの幅を、第２のポケット５２ｂのようにポケット毎に変えるようにしてもよい。さらに、パネル体５０の短手方向の幅と同等の開口幅を有するポケット５２を１つだけ設けるようにしてもよい。
【００４３】
各ポケット５２の開口側の部分にはゴムバンド５５が設けられている。図５に示すように、ポケット５２に工具Ｔが収容されたときには、ゴムバンド５５の復帰力によって、該収容された工具Ｔが、動きにくいように拘束されるようになる。
【００４４】
図１、図３及び図５に示すように、パネル体５０には、該パネル体５０の両面のうち少なくとも一方の面（本実施形態では第１の面５３）におけるポケット５２（本実施形態では第１のポケット５２ａ）とは別の領域に、ポケット５２とは別に又は該ポケット５２と協働して、工具Ｔを保持する工具保持部５６が設けられている。工具保持部５６は、面ファスナーで構成されている。より具体的には、パネル体５０には、面ファスナーのループ部が貼り付けられており、図５に示すように、工具Ｔの一部を該ループ部に配置した後、面ファスナーのフック部からなるバンド５６ａを上記工具Ｔの一部を含むように上記ループ部に貼り付けることで、工具Ｔが工具保持部５６に保持される。尚、上記フック部のバンド５６ａの長さは、使用者が任意で調整することができるように構成されている。また、工具保持部５６は必ずしも設ける必要はなく省略してもよい。ただし、ツールバッグ１の収容空間１１内で工具Ｔがばらつかないように、該工具Ｔを適切に収容及び整理するという観点からは、工具保持部５６が設けられている方が好ましい。
【００４５】
また、図１、図３及び図５に示すように、パネル体５０には、２つの短辺のうちの一方（特に上側に位置する短辺）の近傍に、第２の貫通孔５７が２つ設けられている。この第２の貫通孔５７は、例えば、パネル体５０をリング６０から取り外した状態で、該取り外したパネル体５０をフック等を利用して壁に掛けられるようにするための孔である。
【００４６】
パネル体５０を綴じるための複数のリング６０は、図４に示すようにそれぞれＤ型をなしている。各リング６０は、それぞれ一対の分割リングからなり、一方の分割リング（以下、第１の分割リング６１という）はＵ字状をなし、他方の分割リング（以下、第２の分割リング６２という）はＣ字状をなしている。各リング６０は、対をなす分割リング６１，６２の先端部が互いに近接してリング形状を形成する閉鎖位置と、対をなす該分割リング６１，６２のそれぞれの先端部が互いに離隔する開放位置との間で変位可能にそれぞれ構成されている。
【００４７】
各第１及び第２の分割リング６１，６２の基端側の部分は、バッグ本体１０の主壁部１２の内側面１２ａに固定されるベース６３内に保持されている。各第１及び第２の分割リング６１，６２の基端側の部分は、該ベース６３内で、第１及び第２の分割リング６１，６２の基端側の部分が互いに連結されている。これにより、複数のリング６０のうちの１つのリング６０に開き方向又は閉じ方向の操作力が加えられたときには、残りのリング６０にも該操作力が伝わって、実際に操作力が加えられたリング６０に連動して、残りのリング６０も開閉することができるようになっている。尚、ベース６３内の構成については、既知の構成を採用することができるため、詳細な説明は省略する。
【００４８】
ここで、実際の作業において、ツールバッグから工具Ｔを取り出して使用する際には、作業者が、作業手順や工具の使用方法などの作業内容を頻繁に確認しなければならないことがある。従来は、上記作用内容を紙に印刷したものを用いて確認を行っていたが、近年では、コスト削減や環境への配慮からペーパーレス化の要求があるといった観点や、作業内容を動画で示した方が、作業者が理解しやすいといった観点から上記作業内容をタブレット型携帯端末１００に情報として格納させておき、該タブレット型携帯端末１００を操作して上記作業内容の確認を行うようになっている。このため、ツールバッグにおいて、タブレット型携帯端末１００を収容できるようにしたいという要求がある。
【００４９】
しかしながら、従来のツールバッグに、単純にタブレット型携帯端末１００の収容部と設けた場合、作業者は、一度ツールバッグからタブレット型携帯端末１００を取り出して、作業内容の確認を行うための操作をした後、再びツールバッグに当該タブレット型携帯端末１００を収容するといった面倒な手順を踏まなければならず、作業効率が低下してしまうおそれがある。
【００５０】
これに対して、本実施形態のツールバッグ１では、タブレット型携帯端末１００を収容可能なタブレット端末収容部３０は、タブレット端末収容部３０にタブレット型携帯端末１００が収容された状態で、該タブレット型携帯端末１００を操作可能な材質及び厚みで構成された透明シート３１でその表面が構成されているため、作業者は、タブレット型携帯端末１００がタブレット端末収容部３０に収容されたままタブレット型携帯端末１００の操作を行うことができ、作業内容を逐次確認することができる。つまり、作業者は、作業内容の確認を行う際に、タブレット型携帯端末１００をタブレット端末収容部３０から取り出す必要がない。このため、作業効率を低下させることなく作業内容の確認等ができる。また、タブレット型携帯端末１００をタブレット端末収容部３０から取り出す必要がないことにより、作業スペースが比較的狭い場所において、ツールバッグ１とは別にタブレット型携帯端末１００を配置する必要がない。これにより、作業スペースが比較的狭い場所での作業であっても、作業内容の確認等を容易に行うことができる。さらに、タブレット端末収容部３０が透明シート３１を用いたポケットをなしていることにより、工具Ｔとタブレット型携帯端末１００とが収容された状態のツールボックス１を搬送する際に、工具Ｔによってタブレット型携帯端末１００の画面１０１が傷つくのを出来る限り防止することができる。
【００５１】
また、蓋体２０における蓋体内側面２０ａにタブレット端末収容部３０が設けられているため、ツールバッグ１の蓋体２０の開き状態で作業内容の確認が可能になり、作業内容を確認しながら、当該作業に必要な工具Ｔの交換を容易に行うことができる。
【００５２】
さらに、本実施形態のツールバッグ１は、主壁部１２及び蓋体２０の樹脂パネルの硬さ及び側壁部１３の筒軸方向の長さを調整することで、作業台Ａ等に対して立てて使用することができるようになっており、作業スペースが比較的狭い場所において、ツールバッグ１の占める領域が小さくて済む。また、作業台Ａ等に対して立てて使用することができるようになっていることによって、作業者が地面に寝た状態で作業をしなければならない場合（例えば、車両の下部のメンテナンスをする場合）であっても、作業者が、タブレット型携帯端末１００の画面１０１を見やすくすることができる。
【００５３】
また、本実施形態では、工具Ｔを収容可能なポケット５２が設けられたパネル体５０が、蓋体２０とバッグ本体１０の主壁部１２との間で回動可能に設けられているため、工具Ｔをポケット５２内に収容することにより、工具Ｔが収容された状態のツールバッグ１を搬送する際に、工具Ｔが収容空間１１内でばらつきにくくなる。これにより、タブレット型携帯端末１００と工具Ｔとが収容された状態のツールバッグ１を搬送する際に、工具Ｔがタブレット型携帯端末１００の画面１０１と干渉しにくくなり、タブレット型携帯端末１００を適切に保護することができる。また、収容空間１１内において工具Ｔが配置されない領域、所謂デッドスペースを削減することができ、工具Ｔの収容及び整理を適切に行うことができるようになる。さらに、パネル体５０にポケット５２を設けて、工具Ｔを収容するようにしたことにより、ツールバッグ１を立てて使用したとしても、工具Ｔがばらつくことがない。
【００５４】
さらに、本実施形態では、ポケット５２の開口側の部分にはゴムバンド５５が設けられているため、ポケット５２に工具を収容すれば、該工具Ｔはゴムバンド５５の復帰力によって保持されて、工具Ｔが収容された状態のツールバッグ１を搬送する際の、該工具Ｔのばらつきをより効果的に防止することができる。これにより、タブレット型携帯端末１００と工具Ｔとが収容された状態のツールバッグ１を搬送する際に、工具Ｔとタブレット型携帯端末１００の画面１０１との干渉をより効果的に防止することができ、タブレット型携帯端末１００をより適切に保護することができる。
【００５５】
さらに、本実施形態では、工具保持部５６が設けられていることにより、例えば、ポケット５２に収容しきれない工具（比較的長さのあるドライバーなど）をツールバッグ１に収容するときには、上記工具Ｔの一部をポケット５２に収容させるとともに、上記工具Ｔの残部を工具保持部５６で保持させれば、上記工具Ｔが収容空間１１内で移動するのをより効果的に抑制することができる。これにより、ポケット５２に収容しきれない工具も、収容空間１１内において適切に整理収容することができる。この結果、タブレット型携帯端末１００と工具Ｔとが収容された状態でツールボックス１を搬送する際に、工具Ｔがタブレット型携帯端末１００と干渉するのを一層効果的に防止することができ、タブレット型携帯端末１００を一層適切に保護することができる。さらに、図５に示すように、工具Ｔの交換を頻繁に行う必要があるときに、工具Ｔを工具保持部５６に一時的に保持させることもでき、作業効率の向上を図ることもできる。
【００５６】
また、本実施形態では、パネル体５０は、該パネル体５０の貫通孔５１に、バッグ本体１０の上記収容空間１１に設けられた複数のリング６０が挿通することにより、回動可能となっているため、パネル体５０を、リング６０に沿って回動する範囲内で、タブレット端末収容部３０に収容されたタブレット型携帯端末１００から出来る限り離間させることができる。これにより、タブレット型携帯端末１００と工具Ｔとが収容された状態でツールボックス１を搬送する際に、工具Ｔがタブレット型携帯端末１００と干渉するのをより一層効果的に防止することができ、タブレット型携帯端末をより一層適切に保護することができる。
【００５７】
また、各リング６０は、一対の分割リング６１，６２からなり、対をなす分割リング６１，６２の先端部が互いに近接してリング形状を形成する閉鎖位置と、対をなす該分割リング６１，６２のそれぞれの先端部が互いに離隔する開放位置との間で変位可能であるため、リング６０を開放位置すれば、パネル体５０をリング６０から着脱することができ、パネル体５０の増加及び減少を容易に行うことができる。これにより、タブレット端末収容部３０にタブレット型携帯端末１００が収容されかつパネル体５０のポケット５２に工具Ｔが収容された状態で、蓋体２０を閉じ位置に回動させた際に、タブレット型携帯端末１００と工具Ｔとが干渉するおそれがあるときには、パネル体５０の枚数を減らして、タブレット型携帯端末１００と工具Ｔとの干渉を回避するようにすることができる。この結果、タブレット型携帯端末１００を更に適切に保護することができる。また、タブレット型携帯端末１００をタブレット端末収容部３０に収容しない場合には、パネル体５０を増加させることで、収容できる工具Ｔの数を増加させることができる。これにより、工具Ｔを整理するという効果をより適切に発揮することができる。さらに、ツールバッグ１を作業台Ａ等に対して立てて使用するときには、パネル体５０を本のように回動させることができ、必要な工具Ｔを探しやすいため、工具Ｔの交換を容易にすることができる。
【００５８】
本発明は、上記実施形態に限られるものではなく、請求の範囲の主旨を逸脱しない範囲で代用が可能である。
【００５９】
例えば、上述の実施形態では、パネル体５０の両面には、それぞれポケット５２が設けられていたが、これに限らず、パネル体５０の両面のうちの一方にのみポケット５２が設けられていてもよい。例えば、ポケット５２を省略して、パネル体５０の一面を全て工具保持部５６にしてもよい。また、パネル体５０が複数枚設けられている場合において、各パネル体５０の構成、すなわち、第１の面５３及び第２の面５４に設けるポケット５２の数や大きさ、工具保持部５６の大きさは、全てのパネル体５０で同じでもよく、パネル体５０毎に異なっていてもよい。ただし、工具Ｔを整理して収納するという観点からは、複数枚のパネル体５０のうちの少なくとも１枚における、少なくとも一面には、ポケット５２と工具保持部５６との両方が設けられていることが好ましい。
【００６０】
また、上述の実施形態では、工具保持部５６は面ファスナーで構成されていたが、これに限らず、工具Ｔを保持できるものであればよく、例えば、パネル体５０の短手方向に延びるゴムバンドで構成されていてもよい。この構成でも、該ゴムバンドとパネル体５０との間に工具Ｔを挟むようにすれば、該ゴムバンドの復帰力によって工具Ｔを保持することができる。また、工具保持部５６をスナップボタンで構成してもよい。すなわち、例えばパネル体５０にスナップボタンの雌部を配置する一方、スナップボタンの雄部をベルトに設けて、工具Ｔをベルトとパネル体５０の間に位置させた後、スナップボタンの雄部と雌部とを係合させることで、工具Ｔを保持することができる。
【００６１】
さらに、パネル体５０には、工具Ｔを収容保持する部分として、ポケット５２や工具保持部５６が設けられていたが、これ以外にも、例えば、マーカーペンなどの筆記具を保持するための筆記具保持部をパネル体５０に設けてもよい。
【００６２】
また、上述の実施形態では、図１及び図５に示すように、比較的大型のタブレット型携帯端末が収容されているが、これに限らず、タッチパネル式の携帯端末であれば、スマートフォンのような比較的小型の携帯端末が収容されてもよい。また、ノートパソコンのようなキーボードを有するものであっても、タッチパネル式の操作、つまり、画面をタッチして操作可能なものであれば、タブレット端末収容部３１に収容する対象となり得る。
【００６３】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００６４】
本発明は、工具を収容するためのツールバッグとして有用である。
【符号の説明】
【００６５】
１      ツールバッグ
１０    バッグ本体
１１    収容空間
１２    主壁部
１４    連結部
２０    蓋体
２０ａ  蓋体内側面（蓋体における上記収容空間側の面）
３０    タブレット端末収容部
３１    透明シート（透明なシート部材）
５０    パネル体
５１    第１の貫通孔
５２    ポケット
５６    工具保持部
６０    リング
６１    第１の分割リング
６２    第２の分割リング
１００  タブレット型携帯端末
Ｔ      工具
【図１】
2019058964.tif 000003
【図２】
2019058964.tif 000004
【図３】
2019058964.tif 000005
【図４】
2019058964.tif 000006
【図５】
2019058964.tif 000007